(57)【要約】　　　（修正有）【課題】放熱効率の向上をはかった薄型表示装置を提供する。【解決手段】薄型表示装置１は、コンソール部本体１０Ｃの上面に、表示部本体１０Ｄの底面を載置し、上下方向（高さ方向）に、コンソール部本体１０Ｃ及び表示部本体１０Ｄが並設された本体構成となっており、コンソール部本体１０Ｃ及び表示部本体１０Ｄそれぞれに空気取り込み口５１，５２，５３，５４及び空気排出口６１，６２，６３を設けた。【選択図】　図４
2004109306.tif 000002
【特許請求の範囲】
【請求項１】
薄型表示ユニットのアンプ部及び／又はコントロール部が収納されるコンソール部本体と、
該コンソール部本体の上方に設けられ、前記薄型表示ユニットが収納される表示部本体と、
前記コンソール部本体及び表示部本体それぞれの高さ方向の下側部分に開口して設けられ、外部から空気を取り込むための空気取り込み口と、
前記コンソール部本体及び表示部本体それぞれの高さ方向の上側部分に開口して設けられ、本体内から外部へ空気を排出するための空気排出口と
を備えていることを特徴とする薄型表示装置。
【請求項２】
前記コンソール部本体に設けられた空気排出口から強制的に空気を排出する送風装置を備えたことを特徴とする請求項１記載の薄型表示装置。
【請求項３】
前記コンソール部本体の空気排出口は、前記表示部本体の空気取り込み口よりも外側に配置されていることを特徴とする請求項２記載の薄型表示装置。
【請求項４】
前記コンソール部本体の空気取り込み口の少なくとも一部は、内部に備えられるコントロール部及び／又はアンプ部の下方に配置されていることを特徴とする請求項１から請求項３のいずれか一項に記載の薄型表示装置。
【発明の詳細な説明】
【０００１】
【発明の属する技術分野】
本発明は、液晶表示ユニットやプラズマ表示ユニット等の板状の薄型表示ユニットに、テレビ映像等を表示するための薄型表示装置に関する。
【０００２】
【従来の技術】
従来、この種の薄型表示装置の一例として、図５に記載されているような薄型表示装置がある。
図５は、従来の一例としての薄型表示装置の構成図である。
薄型表示装置１００は、液晶表示ユニットやプラズマ表示ユニット等の板状の薄型表示ユニット１８０を備えた本体１１０と、この本体１１０を可動可能に支持するスタンド１９０とから構成される。
【０００３】
本体１１０は、樹脂成形のフロントケース１１２及びバックケース１１４によってその前部及び後部をカバーされている。
このフロントケース１１２及びバックケース１１４は、本体１１０の骨格を成すシャーシ１２０に取り付けられている。
【０００４】
シャーシ１２０は、第１の筐体１３０と、この第１の筐体１３０の上面前部に、その広い面を前後方向に向けて立設配置された第２の筐体１４０と、第１の筐体１３０の上面後部に、第２の筐体１４０と前後方向に並んで立設配置された第３の筐体１５０とを備えて構成されている。
【０００５】
第１の筐体１３０は、電源部１６０を収納するための第１の装置収納部１３２を形成する。第２の筐体１４０は、その広い面の前部周囲に縁部１４４が設けられて前方に開放され、薄型表示ユニット１８０を収納するための第２の装置収納部１４２を形成する。薄型表示ユニット１８０は、この第２の装置収納部１４２に開放された前方にその表示面を向けて立たせた状態で収納される。第３の筐体１５０は、基板１７０を立たせた状態で収納するための第３の装置収納部１５２を形成する。
このように構成された従来の薄型表示装置１００では、その放熱は次のようにして行われていた。
【０００６】
外部の空気は、スタンド１９０を挟んでバックケース１１４の底面１１６両側に設けた開口部（図示省略）を通過してケース１１２，１１４内に入り込み、パンチングで形成された第１の筐体１３０の複数の開口部１３４を介して、第１の装置収納部１３２に取り込まれる。この取り込まれた空気は、第１の装置収納部１３２内に設けた電源部１６０を冷やした後で、第１の筐体１３０の天板１３６に設けた送風フアン１３８により第３の装置収納部１５２内に送り込まれる。第３の装置収納部１５２内に送り込まれた空気は、基板１７０を冷やした後、第３の筐体１５０の筐体後部を構成するシールドパネルにパンチングで形成された複数の開口部１５４を経て、バックケース１１４の上部に設けられた通気口１１６から排気される。
【０００７】
前記第２の筐体１４０の排気は、その広い面１４６の上部に設けた送風フアン１４８によって前記第２の装置収納部１４２内の空気が吸引され、前記したバックケース１１４の上部の通気口１１６から排気される。この際、第２の装置収納部１４２内の空気は、第１の筐体１３０の複数の開口部１３４や他の隙間から供給され、薄型表示ユニット１８０の裏面やそこに設けられたインバータ基板１８２を冷やした後、前記バックケース１１４の上部の通気口１１６から排気される。
図５中に記載した矢印は、このときの空気の流れを示したものである。
【特許文献１】
特開平１１−３３８３７２号公報（第１図、第６頁から第７頁）
【０００８】
【発明が解決しようとする課題】
しかし、上述した従来の薄型表示装置１００では、薄型表示ユニット１８０を備えた本体１１０内の電源部１６０、基板１７０、薄型表示ユニット１８０等の冷却及び放熱は、バックケース１１４の底面１１６両側に設けた開口部より取り込まれた空気により、電源部１６０、基板１７０、薄型表示ユニット１８０等の各部を冷やした後、バックケース１１４の上部の通気口１１６から排気されて行われる構成になっている。
【０００９】
そのため、フロントケース１１２及びバックケース１１４によってその前部及び後部をカバーされた本体１１０内を、図５に矢印で示したように、電源部１６０を冷却した空気の流れと、基板１７０を冷却した空気の流れと、薄型表示ユニット１８０を冷却した空気の流れとが、本体１１０内の下方から上部の通気口１１６に向けて相互に並列して生じることになる。
【００１０】
この場合、基板１７０と、薄型表示ユニット１８０とが、横方向（すなわち、薄型表示装置１００の奥行き方向）に、互いの板面同士を対向させて並んだ関係となり、例えば、薄型表示ユニット１８０を冷却するための空気の流れは、薄型表示ユニット１８０と板面同士を対向させて並んだ基板１７０をも冷却している、すなわち基板１７０からもその発熱が伝達されることになる。
【００１１】
この結果、上述した従来の薄型表示装置１００では、薄型表示ユニット１８０を冷却するために必要な空気の流れ量は、薄型表示ユニット１８０を専ら冷却するために必要な空気の流れ量よりも、基板１７０からの発熱も伝達される分だけ、多量の空気の流れが必要となる。
【００１２】
この結果、本体１１０内に新たに送風ファンや排気ファンを設置したり、本体１１０内の既存の送風ファンや排気ファンの送風又は吸込容量を大きなものにしなければならない、という問題点があった。
【００１３】
さらに、この種の薄型表示装置１００の放熱の問題は、薄型表示装置自体の大型化が進み、また、ホームシアターの普及に伴い音響面についても臨場感をかもし出す大出力が要求される現状においては、その重要性を増している。
本発明は、上述した問題点を鑑み、放熱効率の向上をはかった薄型表示装置を提供することを目的とする。
【００１４】
【課題を解決するための手段】
本発明による薄型表示装置は、上記した課題を解決するために、薄型表示ユニットのコントロール部が収納されるコンソール部本体と、該コンソール部本体の上面に設けられ、前記薄型表示ユニットが収納される表示部本体と、前記コンソール部本体及び表示部本体それぞれの高さ方向の下側部分に開口して設けられ、外部から空気を取り込むための空気取り込み口と、前記コンソール部本体及び表示部本体それぞれの高さ方向の上側部分に開口して設けられ、本体内から外部へ空気を排出するための空気排出口とを備えていることを特徴とする。
【００１５】
これにより、表示部本体内の薄型表示ユニットと、コンソール部本体内のコントロール部とが、高さ方向に、互いの端部同士を対向させて並んだ関係となり、それぞれ個有の空気取り込み口、空気排出口によって、冷却するための独立した空気の流れを生じさせることができるので、放熱の効率が向上する。
また、上記構成に加えて、前記コンソール部本体に設けられた空気排出口から強制的に空気を排出する送風装置を備えるものとする。
【００１６】
この構成によると、コンソール部本体内から排出される空気がより遠くに運ばれることから、コンソール部本体内から排出された空気が表示部本体に設けられた空気取り込み口から取り入れられにくいため、表示部本体内の冷却能力を減殺しにくいものとすることができる。
そして、上記のように強制排気する場合には、前記コンソール部本体の空気排出口は、前記表示部本体の空気取り込み口よりも外側に配置されているものとする。
【００１７】
この構成によると、送風装置から排出された空気が表示部本体の空気取り込み口から離れるように空気が排出されるため、より効果的に表示部本体内の冷却能力を減殺しにくいものとすることができる。
【００１８】
また、前記コンソール部本体の空気取り込み口の少なくとも一部は、内部に備えられるコントロール部の下方に配置されているものとする。
この構成によると、コントロール部をより効率良く冷却することができる。
【００１９】
【発明の実施の形態】
以下、添付図面を参照しながら、本発明の好適な実施の形態について詳細に説明する。
図１は、本発明の一実施の形態による薄型表示装置の正面図である。
図２は、本発明の一実施の形態による薄型表示装置の側面図である。
図３は、本発明の一実施の形態による薄型表示装置の背面図である。
図４は、本発明の一実施の形態による薄型表示装置のフレーム構成を示した側面断面図である。
【００２０】
本実施の形態の薄型表示装置１は、図１に示されているように、液晶表示ユニットやプラズマ表示ユニット等の板状の薄型表示ユニット８０等を備えた本体１０と、この本体１０を可動可能に支持するスタンド９０とから構成される。
【００２１】
そして、本実施の形態の薄型表示装置１では、本体１０は、薄型表示ユニット８０を備えた表示部本体１０Ｄと、アンプ部７１　コントロール部７２等を備えたコンソール部本体１０Ｃとに分割されて構成されている。
【００２２】
表示部本体１０Ｄ、コンソール部本体１０Ｃは、それぞれ箱体構成となっていて、図２に示されているように、それぞれ前部ハウジング１０ＤＦ，１０ＣＦにより、その前側が覆われ、後部ハウジング１０ＤＢ，１０ＣＢにより、その後側を覆われた構成になっている。
【００２３】
そして、図１及び図２に示すように、薄型表示装置１は、コンソール部本体１０Ｃの上面に、表示部本体１０Ｄの底面を載置し、上下方向（高さ方向）に、コンソール部本体１０Ｃ及び表示部本体１０Ｄが並設された本体構成となっている。
【００２４】
このように構成された本体１０は、図示せぬ回転機構を介してスタンド９０により、コンソール部本体１０Ｃと床面との間に空間を有して、回動自在に支持されている。
次に、このように表示部本体１０Ｄ、コンソール部本体１０Ｃを備える薄型表示装置１の本体筐体構造について、説明する。
【００２５】
図４に示すように、本体１０内には、本体１０の幅方向（左右方向）に延びる断面Ｌ字状のアルミニウム製の板材ベース２１に、複数本（本実施の形態の場合は２本）の断面Ｈ字状の柱部材２２が、その基端２２ａ側を締結されて立設されている。
【００２６】
柱部材２２は、長さ方向（すなわち、本体１０の高さ方向に対応）の中間部から先端２２ｂ側の部分がその余の基端２２ａ側の部分に対して、細身の断面形状となって、その先端側が表示部本体１０Ｄ内へ挿入される表示部挿通部２３ａを構成する。この表示部挿通部２３ａの断面形状は、本実施の形態では、連結部を介して接続された相対向する一対のリブ部によって形成された柱部材２２のＨ字状断面のうち、連結部の中央から一方側のリブ部及び連結部が取り除かれた断面形状となっている。
【００２７】
そして、柱部材２２同士は、前述の板材ベース２１の他に、長さ方向の途中部分に第１及び第２の柱連結部材２４，２５が締結されて横設されており、柱部材２同士の捩れ等に対する補強がなされている。
【００２８】
ここで、本実施の形態においては、第１及び第２の柱連結部材２４を横設する柱部材２２の長さ方向締結位置（すなわち、本体１０の高さ方向締結位置に対応）は、第１の柱連結部材２４が前述した柱部材２２の表示部挿通部２３ａを除いた基端２２ａ側の部分、すなわちコンソール部挿通部２３ｂの中間長さ位置（高さ位置）部分に配置されており、第２の柱連結部材２５は表示部挿通部２３ａの基端２２ａ寄りの端部位置（高さ位置）部分に配置されており、いずれの締結位置とも、前部ハウジング１０ＤＦ及び後部ハウジング１０ＤＢによって覆われた表示部本体１０Ｄ外に位置し、表示部本体１０Ｄ内に位置しない構成になっている。
【００２９】
また、本実施の形態では、図示省略するが、第１及び第２の柱連結部材２４，２５は、前述した板材ベース２１と略同じ長さを有し、その両端側は、２本の柱部材２２を越えて板材ベース２１と並行に延び、その両端部は板材ベース２１の対応する両端部とそれぞれ端部連結部材によって連結され、さらに補強がはかられている。
【００３０】
そして、これら板材ベース２１、柱部材２２、第１及び第２の柱連結部材２４，２５、及び図示せぬ端部連結部材によって、本実施の形態の薄型表示装置１のフレーム枠体２０が構成される。
このフレーム枠体２０は、板材ベース２１の幅方向中間部に固定される回転機構（不図示）を介して、前述したスタンド９０に接続される。
【００３１】
このように構成されたフレーム枠体２０において、前述した柱部材２２の表示部挿通部２３ａには、図４に示すように、薄型表示ユニット８０のバックフレーム８１が固定される。例えば、薄型表示ユニット８０が液晶表示ユニットである場合には、液晶パネルの裏面側で液晶パネルを支持するとともに、バックライトを保持するアルミニウム製のバックフレーム８１が固定される。
【００３２】
また、フレーム枠体２０のコンソール部挿通部２３ｂには、図４においては図示省略するが、図１において破線で簡易的に示したように、アンプ部７１とコントロール部７２とが取り付けられる。
【００３３】
アンプ部７１は、映像信号に付随する音響信号を増幅して出力するもので、例えば、基幹デバイスとして高精度１チップΔΣ変調ＬＳＩを搭載し、アナログ信号を１ビットデジタル信号に変換し、高速サンプリングにより音の透明感・スピード感を向上させる構成となっている。
【００３４】
コントロール部７２は、例えば、薄型表示ユニット８０が液晶表示ユニットある場合には、液晶表示ユニット全体の制御を行うもので、本実施の形態では、そのための制御基板７３等に加え、この制御基板７３をはじめとする薄型表示装置１全体を駆動するための電源部７４も備えられている。なお、この制御基板７３のうち、インバータ基板は、薄型表示ユニット８０内に設けられている。
そして、本実施の形態の場合、コントロール部７２には、これら制御基板や電源部を空気で冷却するためのファン７５が備えられている。
【００３５】
なお、上述したフレーム枠体２０のコンソール部挿通部２３ｂには、例えば、１ビット５．１ｃｈデジタルアンプを搭載しても良い。併せて、臨場感溢れるＤＶＤムービーを結線の必要なく一体操作で鑑賞できるようにＤＶＤビデオプレーヤを設置してもよい。
【００３６】
その上で、図１〜図４に示すように、フレーム枠体２０には、フレーム枠体２０に直接、又は薄型表示ユニット８０等のフレーム枠体２０に取り付けられた機器を介して間接的に、表示部本体１０Ｄの前部ハウジング１０ＤＦ及び後部ハウジング１０ＤＢ、コンソール部本体１０Ｃの前部ハウジング１０ＣＦ及び後部ハウジング１０ＣＢが取り付けられる。
【００３７】
表示部本体１０Ｄの前部ハウジング１０ＤＦは、図１及び図４に示すように、薄型表示ユニット８０の表示面が臨む開口部を有する矩形状の額縁形状となっており、表示部本体１０Ｄの後部ハウジング１０ＤＢに対して、コンソール部本体１０Ｃの後部ハウジング１０ＣＢは後方に張り出して形成される。
【００３８】
そして、薄型表示ユニット８０の表示面と反対側の背面にあるバックライトやインバータ基板を覆う、表示部本体１０Ｄの後部ハウジング１０ＤＢには、本実施の形態の場合は、図３及び図４に示すように、その底面及び盤面下部に空気取り込み口５１，５２が設けられている。また、盤面上部及び上面には、空気排出口６１，６２が設けられている。
一方、コンソール部本体１０Ｃの前部ハウジング１０ＣＦは、その盤面には、図１及び図４に示すように、スピーカ等が外部に臨む開口が形成されている。
【００３９】
また、コンソール部本体１０Ｃの後部ハウジング１０ＣＢには、図３及び図４に示すように、その底面及び盤面下部に空気取り込み口５３，５４が設けられており、盤面下部の空気取り込み口５４は、アンプ部７１及びコントロール部７２の下方に設けられている。なお、ここでいうアンプ部７１及びコントロール部７２の下方とは、空気取り込み口の一部が、アンプ部７１又はコントロール部７２の下方にある場合を含む。
【００４０】
また、盤面上部から上面にかけての表示部本体１０Ｄと対向していない位置に、空気排出口６３が設けられ、さらに、この空気排出口６３のハウジング内部側であってアンプ部７１及びコントロール部７２それぞれの上方に当たる位置には、コンソール内部から空気排出口６３に強制的に風を送る送風装置７０が設けられている。
【００４１】
また、表示部本体１０Ｄの後部ハウジング１０ＤＢには、図３及び図４に示すように、その底面及び盤面下部には空気取り込み口５３，５４が設けられ、盤面上部から上面にかけては空気排出口６３が設けられている。
【００４２】
そして、表示部本体１０Ｄ内は、そのハウジング１０ＤＢに設けられた空気取り込み口５１，５２及び空気排出口６１，６２を介して外部と連通され、コンソール部本体１０Ｃ内は、その後部ハウジング１０ＣＢに設けられた空気取り込み口５３，５４及び空気排出口６３を介して外部と連通されている。
本実施の形態の薄型表示装置１は以上説明したように構成されるが、次にその放熱作用について説明する。
【００４３】
本実施の形態の薄型表示装置１は、コンソール部本体１０Ｃの上面に、表示部本体１０Ｄの底面を載置し、上下方向（高さ方向）に、コンソール部本体１０Ｃ及び表示部本体１０Ｄが並設された本体構成となっており、コンソール部本体１０Ｃ及び表示部本体１０Ｄそれぞれに空気取り込み口５１，５２，５３，５４及び空気排出口６１，６２，６３を設けた構成を採用することにより、コンソール部本体１０Ｃ内に設けられたアンプ部７１及びコントロール部７２は、その後部ハウジング１０ＣＢの底面及び盤面下部に設けられた空気取り込み口５３，５４から取り込まれる空気によって冷却され、後部ハウジング１０ＣＢの盤面上部から上面にかけて設けられた空気排出口６３から排出され、表示部本体１０Ｄ内に設けられた薄型表示ユニット８０は、その後部ハウジング１０ＤＢの底面及び盤面下部に設けられた空気取り込み口５１，５２から取り込まれる空気によって冷却される。
【００４４】
したがって、表示部本体１０Ｄ内の薄型表示ユニット８０と、コンソール部本体１０Ｃ内のアンプ部７１及びコントロール部７２とが、高さ方向に、互いの端部同士を対向させて並んだ関係となり、それぞれ個有の空気取り込み口５１，５２，５３，５４、空気排出口６１，６２，６３によって、冷却するための独立した空気の流れを生じさせることになる。
【００４５】
このように、コンソール部本体１０Ｃと表示部本体１０Ｄとの接合部分の面積の小型化をはかることができ、さらにコンソール部本体１０Ｃ内と表示部本体１０Ｄ本体内とは、柱部材２２の表示部挿通部２３ａ及び図示せぬ配線が挿通可能な断面積を有して接続されていればよいので、コンソール部本体１０Ｃと表示部本体１０Ｄとの相互間での熱の伝達を抑えることができる。また、表示部本体１０Ｄ内とコンソール本体１０Ｃ内と冷却経路がそれぞれ独立になるため、一度コンソール本体１０Ｃ内を通過して暖められた空気が、そのまま表示部本体１０を通過しないため、表示部本体１０内の冷却をより効率のよいものとすることができる。
【００４６】
そして、コンソール本体１０Ｃ内の冷却には送風装置７０を運転して冷却する。このときの風の流れを説明すると、送風装置７０を運転すると風が発生し、空気取り込み口５３、５４から空気がコンソール本体１０Ｃ内に取り込まれる。
【００４７】
そのとき、空気取り込み口５４から取り込まれた風はその上方にあるコントロール部７２及び／又はアンプ部７１に直接当たるようになる。それによって効果的にコントロール部７２及び／又はアンプ部７１が冷却される。
【００４８】
さらに、空気取り込み口５３が設けられているため、空気取り込み口５３からの風が空気取り込み口５４から取り込まれた風に当たり、風の流れが乱れる。一般に乱流のほうが冷却効果が高いことから、コントロール部７２及び／又はアンプ部７１がより効果的に冷却される。
【００４９】
そして、その後、風は上方にある送風装置７０を経由し、空気排出口６３から排出されるように流れる。このように、送風装置７０によりコンソール本体内の空気を強制排気することにより、空気排出口６３から遠くに向かって風は排出されることになる。
【００５０】
そして、排出され空気は表示部本体１０Ｄの空気取り込み口５１、５２に吸い込まれることなく外部に放出される。従って、コントロール部７２及び／又はアンプ部７１を通過して温度が上昇した後の風が空気取り込み口５１、５２に取り込まれないことから、表示部本体１０Ｄ内が良好に冷却することができる。また、この場合において、上記のとおり表示部本体１０Ｄの背面より張り出した空気排出口６３から、表示部本体１０Ｄの空気取り込み口５１、５２に向かわない方向に送風装置７０により強制排気するようにすれば、送風装置７０から排出された空気が表示部本体１０Ｄの空気取り込み口５１、５２から更に吸い込まれにくく、より効果的である。
【００５１】
なお、本発明は上記実施の形態に限定されるものではなく、フレーム枠体２０の具体的構成等については、種々の変形が可能である。
また、薄型表示ユニット８０についても、液晶表示ユニットやプラズマ表示ユニットに限らず、ＥＬユニット等であってもよい。
【００５２】
【発明の効果】
以上のように、本発明によれば、薄型表示装置の放熱効率の向上をはかることができる。
【図面の簡単な説明】
【図１】本発明の一実施の形態による薄型表示装置の正面図である。
【図２】本発明の一実施の形態による薄型表示装置の側面図である。
【図３】本発明の一実施の形態による薄型表示装置の背面図である。
【図４】本発明の一実施の形態による薄型表示装置のフレーム構成を示した側面断面図である。
【図５】従来の一例としての薄型表示装置の構成図である。
【符号の説明】
１　薄型表示装置
１０　本体
１０Ｄ　表示部本体
１０Ｃ　コンソール部本体
２０　フレーム枠体
２１　板材ベース
２２　柱部材
２３ａ　表示部挿通部
２３ｂ　コンソール部挿通部
２４　第１の柱連結部材
２５　第２の柱連結部材
５１，５２，５３，５４　空気取り込み口
６１，６２，６３　空気排出口
７１　アンプ部
７２　コントロール部
７３　制御基板
７４　電源部
７５　ファン
８０　薄型表示ユニット
８１　バックフレーム
９０　スタンド
１００　薄型表示装置
１１０　本体
１１２　フロントケース
１１４　バックケース
１１６　通気口
１２０　シャーシ
１３０　第１の筐体
１３２　第１の装置収納部
１３４　開口部
１３６　天板
１３８　送風フアン
１４０　第２の筐体
１４２　第２の装置収納部
１４８　送風フアン
１５０　第３の筐体
１５２　第３の装置収納部
１５４　開口部
１６０　電源部
１７０　基板
１８０　薄型表示ユニット
１９０　スタンド
【図１】
2004109306.tif 000003
【図２】
2004109306.tif 000004
【図３】
2004109306.tif 000005
【図４】
2004109306.tif 000006
【図５】
2004109306.tif 000007